(57)【特許請求の範囲】
【請求項１】
ＩＰヘッダなしでデータ識別子を有する複数のデータ単位に分割された第１フォーマットで音声データ出力を生成して、使用者装置から音声データを受信及び生成するために形成されて、前記使用者装置に結びつく統合接続装置（ＩＡＤ）；及び前記ＩＡＤに結びついて、前記第１フォーマットと複数のデータ単位に分割されて前記データ単位各々はＩＰヘッダを有する第２フォーマットの間に前記音声データ出力を変換するために形成された登録／管理／状態（ＲＡＳ）サーバー；を含んで、
前記音声データ出力は、前記第２フォーマットとしてネットワークに伝送されることを特徴とするインターネットプロトコル上での音声伝送システム。
【請求項２】
前記ＩＡＤから前記ＲＡＳサーバーに伝送される第１命令信号を含んで、
前記第１命令信号は、前記ＲＡＳサーバーが前記ヘッダ情報を貯蔵装置に保存するように指示して、
前記ＲＡＳサーバーは、前記貯蔵装置に保存されている前記ヘッダ情報によって前記第１フォーマットと前記第２フォーマットの間の変換動作を遂行することを特徴とする請求項１に記載のインターネットプロトコル上での音声伝送システム。
【請求項３】
伝送終了決定に応答して、前記ＩＡＤから前記ＲＡＳサーバーに伝送される第２命令信号をまた含んで、
前記第２命令信号は、前記ＲＡＳサーバーに前記貯蔵装置から前記ヘッダ情報を除去するように指示することを特徴とする請求項２に記載のインターネットプロトコル上での音声伝送システム。
【請求項４】
前記ヘッダ情報は、前記第１命令信号及び前記第２命令信号と共に伝送されることを特徴とする請求項３に記載のインターネットプロトコル上での音声伝送システム。
【請求項５】
前記貯蔵装置は、前記ＲＡＳサーバーに備わって静的メモリーまたは動的メモリーを含むことを特徴とする請求項１に記載のインターネットプロトコル上での音声伝送システム。
【請求項６】
前記静的メモリーは、ＲＯＭを含んで、前記動的メモリーはＲＡＭを含むことを特徴とする請求項５に記載のインターネットプロトコル上での音声伝送システム。
【請求項７】
前記第１フォーマットは、複数のプロトコルデータ単位（ＰＤＵｓ）を有する非同期転送モード第２アダプテーション層（ＡＡＬ２）を含んで、
前記ＰＤＵ各々は、仮想チャンネル識別子（ＶＣＩ）及び仮想経路識別子（ＶＰＩ）を含むセルヘッダ；及び複数の共通部下位階層（ＣＰＳ）パケットを含んで、
前記ＣＰＳ−パケット各々は、
前記使用者装置に対応する使用者チャンネルを識別するチャンネル識別子（ＣＩＤ）を含むＣＰＳ−パケットヘッダ；及び前記音声データを含むＣＰＳ−パケットペイロード；を含んで、
前記ＲＡＳサーバーは、前記ＶＣＩ、前記ＶＰＩ及び前記ＣＩＤによって前記音声データ出力を前記第１フォーマットから前記第２フォーマットに変換することを特徴とする請求項１に記載のインターネットプロトコル上での音声伝送システム。
【請求項８】
少なくとも二つの音声パケットが前記第２アダプテーション層セルに挿入できることを特徴とする請求項７に記載のインターネットプロトコル上での音声伝送システム。
【請求項９】
前記ＣＰＳ−パケットヘッダは、
前記ＣＰＳ−パケットペイロードの長さを識別する長さ指示子；前記ＣＰＳ−パケットとサービス特有の集合点下位階層（ＳＳＣＳ）間にリンクを提供する使用者対使用者指示部；及びヘッド誤り制御部；をさらに含んで、
前記ＰＤＵは、前記ＣＰＳ−パケットそれぞれの間に位置した開始フィールド内にオフセットフィールド及びパリティ・ビット、シーケンス番号をさらに含むことを特徴とする請求項７に記載のインターネットプロトコル上での音声伝送システム。
【請求項１０】
前記第２フォーマットは、リアルタイム伝送プロトコル（ＲＴＰ）ヘッダ情報及びＩＰヘッダ情報が入っているＲＴＰ／ＵＤＰヘッダを含んで、
前記ＲＴＰヘッダ情報によって前記第１フォーマットに変換されることを特徴とする請求項１に記載のインターネットプロトコル上での音声伝送システム。
【請求項１１】
前記第２フォーマット内の前記音声データ出力を第１使用者から第２使用者にラウティングするために前記ネットワークと結びついたＶｏＩＰサーバーをさらに含むことを特徴とする請求項１に記載のインターネットプロトコル上での音声伝送システム。
【請求項１２】
共通のＲＡＳサーバーまたは他のＲＡＳサーバーに前記使用者装置と共に位置する少なくとも一つの付加的な使用者装置をさらに含むことを特徴とする請求項１に記載のインターネットプロトコル上での音声システム。
【請求項１３】
前記使用者装置及び少なくとも一つの前記付加的な使用者装置は、前記共通のＲＡＳサーバー及び共通のＩＡＤまたは他のＩＡＤに位置することを特徴とする請求項１２に記載のインターネットプロトコル上での音声伝送システム。
【請求項１４】
前記使用者装置を前記ＩＡＤに連結するアナログ回線；及び前記ＩＡＤと前記ＲＡＳサーバーの間に連結したマルチプレクサ；前記マルチプレクサを前記ＲＡＳサーバーに連結するＯＣ−３またはＳＴＭ−１回線；を含んで、
前記マルチプレクサは、前記ＩＡＤと相関されているＶＣＩ及びＶＰＩを多重化して前記ヘッダ情報を生成することを特徴とする請求項１に記載のインターネットプロトコル上での音声伝送システム。
【請求項１５】
黙音抑圧音声が適用されて、８５個のチャンネルがメディア伝送で利用できることを特徴とする請求項１に記載のインターネットプロトコル上での音声伝送システム。
【請求項１６】
各々音声データを生成するように構成された複数の使用者装置がアナログラインを通じ連結して、少なくとも一つの前記使用者装置から前記音声データを受信する統合接続装置（ＩＡＤ）；ＡＤＳＬを通じ前記ＩＡＤに連結して、自体に備わったＲＯＭまたはＲＡＭを含む貯蔵装置に保存されているヘッダ情報によって前記音声データ出力を第１フォーマットと第２フォーマット間に変換するように構成される登録／管理／状態（ＲＡＳ）サーバー；ＯＣ−３またはＳＴＭ−１ラインを通じ前記ＲＡＳサーバーと連結して、前記ＩＡＤに連結して、前記ＩＡＤに相関されている仮想チャンネル識別子（ＶＣＩ）及び仮想経路識別子（ＶＰＩ）を前記ヘッダ情報に多重化するマルチプレクサ；及び前記ＲＡＳサーバーに連結して前記第２フォーマットの前記音声データ出力を受信及び送信するネットワーク；を含んで、前記ＩＡＤは、前記第１フォーマットで複数のプロトコルデータ単位（ＰＤＵｓ）を有する非同期転送モード第２アダプテーション層（ＡＡＬ２）セルを含む前記音声データ出力を生成して、
前記ＰＤＵ各々は、
前記ＶＣＩ及び前記ＶＰＩを含むセルヘッダ；及び複数の共通部下位階層（ＣＰＳ）−パケットを含んで、
前記ＣＰＳ−パケット各々は、
前記使用者装置の中の任意の装置に対応する使用者チャンネルを識別するチャンネル識別子（ＣＩＤ）を含むＣＰＳ−パケットヘッダ；及び前記音声データを含むＣＰＳ−パケットペイロードを含んで、
前記ＲＡＳサーバーは、前記ＶＣＩ、前記ＶＰＩ及び前記ＣＩＤによって前記音声データ出力を第１フォーマットから第２フォーマットに変換し、
前記第２フォーマットは、ＲＴＰヘッダ情報を有するＲＴＰ／ＵＤＰ／ＩＰヘッダを含んで、前記ＲＴＰヘッダ情報によって前記第１フォーマットから変換され、
前記サーバーが前記貯蔵装置に前記ヘッダ情報を保存するように指示する第１命令信号及び前記ヘッダ情報は、前記ＩＡＤから前記ＲＡＳサーバーに伝送され、
前記ＲＡＳサーバーが前記ヘッダ情報を前記貯蔵装置で除去するように第２命令信号及び前記ヘッダ情報は、終了決定に応答して前記ＩＡＤから前記ＲＡＳサーバーに伝送され、
前記ＲＡＳサーバーは、前記ネットワークから受信した前記音声データ出力を前記第２フォーマットから前記第１フォーマットに変換し、
第１使用者及び第２使用者は、共通のＲＡＳサーバーに位置したりお互い他のＲＡＳサーバーに位置し、
前記第１使用者及び前記第２使用者は、共通の前記ＲＡＳサーバー及び共通のＩＡＤに位置したりまたは共通の前記ＲＡＳサーバー及びお互い他のＩＡＤに位置し、
二つの音声パケットが前記第２アダプテーション層セルに挿入できることを特徴とするインターネットプロトコル上での音声伝送システム。
【請求項１７】
前記ＣＰＳ−パケットヘッダは、前記ＣＰＳ−パケットペイロードの長さを識別する長さ指示子（ＬＩ）；前記ＣＰＳ−パケットとサービス特有の集合点下位階層（ＳＳＣＳ）の連結を提供する使用者対使用者指示部；及びヘッド誤り制御部；をまた含んで、
前記ＣＰＳ−ＰＤＵは、オフセットフィールド、シーケンス番号（及びそれぞれの前記ＣＰＳ−パケット間に位置した開始フィールド内のパリティ・ビットをさらに含むことを特徴とする請求項１６に記載のインターネットプロトコル上での音声伝送システム。
【請求項１８】
前記第１使用者から前記第２使用者に前記第２フォーマットの前記音声データ出力をラウティングするために前記ネットワークに位置したＶｏＩＰサーバーをさらに含むことを特徴とする請求項１６に記載のインターネットプロトコル上での音声伝送システム。
【請求項１９】
（ａ）統合接続装置（ＩＡＤ）で使用者により生成された要請信号を処理する段階；
（ｂ）第１命令信号を生成して登録／管理／状態（ＲＡＳ）サーバーに伝送する段階；
（ｃ）前記ＩＡＤで生成されたＲＴＰ／ＵＤＰ／ＩＰヘッダを含まない非同期転送モード第２アダプテーション層（ＡＡＬ２）セル上の音声データを伝送する段階；及び
（ｄ）使用者の終了要請時、第２命令信号を生成して前記ＲＡＳサーバーに伝送する段階；を含み、
前記第１命令信号は、共に生成されるヘッダデータをデータ貯蔵装置に保存するように前記ＲＡＳサーバーに指示して、
前記第２命令信号は、前記データ貯蔵装置から前記ヘッダデータを除去するように前記ＲＡＳサーバーに指示することを特徴とするインターネットプロトコル上での音声伝送方法。
【請求項２０】
前記使用者生成により生成された前記要請信号の要請信号タイプがインターネット電話要請またはＰＣ電話要請を含む場合に前記（ａ）段階を遂行しないことを特徴とする請求項１９に記載のインターネットプロトコル上での音声伝送方法。
【請求項２１】
ＲＴＰ／ＵＤＰ／ＩＰヘッダ情報として前記ＲＡＳサーバーに伝送されるヘッダデータをさらに含むことを特徴とする請求項１９に記載のインターネットプロトコル上での音声伝送方法。
【請求項２２】
前記ＲＡＳサーバーがネットワークからＩＰパケットを受信して、前記ＩＰパケットより前記ＲＴＰ／ＵＤＰ／ＩＰヘッダのＩＰ／ＵＤＰ部分を分けてＲＴＰパケットを抽出する段階；前記ＩＡＤに対応する仮想経路識別子（ＶＰＩ）と仮想チャンネル識別子（ＶＣＩ）及び使用者インターフェースに対応するチャンネル識別子（ＣＩＤ）を選択するために前記第１命令信号によって前記ＲＴＰパケットでＲＴＰ情報を前記ＲＡＳサーバーに保存されている情報と比較する段階；共通部下位階層（ＣＰＳ）パケットヘッダを生成するために前記ＶＣＩ、ＶＰＩとＣＩＤを使用して前記第２アダプテーション層セルを生成する段階；及び前記ＲＴＰパケットより前記ＲＴＰヘッダを除去して、前記ＣＰＳパケットヘッダに前記第２アダプテーション層セルを生成するために音声データを追加する段階；をさらに含むことを特徴とする請求項１９に記載のインターネットプロトコル上での音声伝送方法。
【請求項２３】
前記ＩＡＤが前記ＲＡＳサーバーから前記第２アダプテーション層セルを受信して前記使用者インターフェースに前記音声データを伝送する段階をさらに含むことを特徴とする請求項２２に記載のインターネットプロトコル上での音声伝送方法。
【請求項２４】
インターネット伝送のために前記第２アダプテーション層セルの前記ＲＡＳサーバーによりＩＰパケットに変換する段階をまた含んで、
前記変換段階は、
前記第２アダプテーション層セルから第２アダプテーション層セル情報を除去して、前記ＩＡＤに対応するＶＰＩとＶＣＩ及び使用者インターフェースに対応するＣＩＤを抽出する段階；前記ＲＴＰ／ＵＤＰ／ＩＰヘッダ生成のために前記ＶＰＩ、ＶＣＩ、ＣＩＤによって前記ＲＴＰヘッダを選択する段階；及び前記ＩＰパケットを生成するために除去された前記第２アダプテーション層セルに前記ＲＴＰ／ＵＤＰ／ＩＰヘッダを挿入する段階；を含むことを特徴とする請求項１９に記載のインターネットプロトコル上での音声伝送方法。
【請求項２５】
前記伝送段階は、複数の前記第２アダプテーション層セルを伝送して、
前記第２アダプテーション層セル各々は、複数のプロトコルデータ単位（ＰＤＵｓ）を含んで、
少なくとも二つの音声ペイロードを含むそれぞれの前記ＰＤＵｓは、
ＶＣＩとＶＰＩを含むセルヘッダ；及び複数の共通部下位階層（ＣＰＳ）−パケットを含んで、
前記ＣＰＳ−パケット各々は、
使用者装置の中のひとつに対応する使用者チャンネルを識別するＣＩＤを含むＣＰＳ−パケットヘッダ；及び前記音声データを含んでいるＣＰＳ−パケットヘッダペイロード；を含んで、
前記ＲＡＳサーバーは、前記ＶＣＩ、前記ＶＰＩ及び前記ＣＩＤによって前記音声データ出力を第１フォーマットから第２フォーマットに変換することを特徴とする請求項１９に記載のインターネットプロトコル上での音声伝送方法。
【請求項２６】
（ａ）登録／管理／状態（ＲＡＳ）サーバーで第１命令信号及びヘッダデータを受信する段階；
（ｂ）前記ヘッダデータ及び前記第１命令信号によって、メモリー貯蔵装置にネットワークに伝送するためのヘッダ情報を保存する段階；
（ｃ）前記ＲＡＳサーバーが一つの装置から第１フォーマットの音声データを受信して、前記ＲＡＳサーバーで前記音声データを前記第１フォーマットから第２フォーマットに変換する段階；及び
（ｄ）前記第２フォーマットの前記音声データを前記ネットワークに伝送する段階；を含むことを特徴とするインターネットプロトコル上での音声伝送方法。
【請求項２７】
前記受信されたヘッダデータは、ＲＴＰ／ＵＤＰ／ＩＰヘッダ情報を含むことを特徴とする請求項２６に記載のインターネットプロトコル上での音声伝送方法。
【請求項２８】
前記貯蔵段階は、前記ＲＡＳサーバー内の静的及び動的メモリー中ひとつを含む前記メモリー貯蔵装置にＲＴＰヘッダ情報を保存する段階；を含むことを特徴とする請求項２６に記載のインターネットプロトコル上での音声伝送方法。
【請求項２９】
前記変換段階は、
ＲＴＰ／ＵＤＰ／ＩＰヘッダ有してないで使用者インターフェースに対応するチャンネル識別子を含むＣＰＳパケット及び装置識別子に対応する仮想チャンネル識別子（ＶＣＩ）と仮想経路識別子（ＶＰＩ）である、非同期転送モード第２アダプテーション層（ＡＡＬ２）セルを含む前記第１フォーマットの前記音声データを受信する段階；及び（ａ）前記第１フォーマットから抽出された、前記ＶＣＩ、前記ＶＰＩ及びチャンネル識別子（ＣＩＤ）によって前記メモリー貯蔵装置で前記ＲＴＰ／ＵＤＰヘッダを挿入して、（ｂ）前記ＩＰヘッダを挿入することにより前記ＩＰヘッダとして前記第２フォーマットを形成する段階；を含むことを特徴とする請求項２６に記載のインターネットプロトコル上での音声伝送方法。
【請求項３０】
前記ＩＰヘッダは、前記ネットワークで受信されて、前記第２アダプテーション層セルは統合接続装置（ＩＡＤ）を含む前記装置から受信されることを特徴とする請求項２９に記載のインターネットプロトコル上での音声伝送方法。
【請求項３１】
ＩＡＤは、前記ＲＡＳサーバーに前記第１命令信号及び第２命令信号を伝送することを特徴とする請求項２６に記載のインターネットプロトコル上での音声伝送方法。
【請求項３２】
前記変換段階は、ＩＰヘッダ及びＲＴＰ／ＵＤＰヘッダであるＩＰヘッダを含む前記第１フォーマットの前記音声データを受信する段階；及び共通部下位階層（ＣＰＳ）パケットを有する第２アダプテーション層セルを含む前記第２フォーマットを形成する段階を含んで、
前記第２アダプテーション層セルは、ＲＴＰパケットを抽出するために前記ＩＰヘッダ及び前記ＵＤＰヘッダを除去する段階；ＶＣＩ、ＶＰＩ及びＣＩＤを選択するために前記ＲＴＰヘッダから情報を前記メモリー貯蔵装置内の情報と比較する段階；前記ＶＣＩと前記ＶＰＩをヘッダ中へ挿入して、前記ＣＩＤをＣＰＳパケットヘッダに挿入する段階；及び前記ＣＰＳパケットに音声ペイロードを追加する段階；により形成されることを特徴とする請求項２６に記載のインターネットプロトコル上での音声伝送方法。
【請求項３３】
前記ネットワークは、インターネットを含むことを特徴とする請求項２６に記載のインターネットプロトコル上での音声伝送方法。
【請求項３４】
装置内にて第１フォーマットを有する音声データパケットを生成する段階；データパケット住所情報によって、前記音声データパケットを変換機で前記第１フォーマットから第２フォーマットに変換する段階；及びネットワークに前記第２フォーマットの前記データパケットを伝送する段階；を含んで、
前記データパケットは、使用者が生成した要請によって生成された音声データを含み、
且つ、前記各段階に加えて、
（ａ）第１命令信号を生成して前記変換機に伝送する段階；
（ｂ）前記装置で前記使用者が生成した前記要請信号を処理して、前記音声データパケットを生成するためにＶｏＩＰ要請信号形態によって前記要請信号のヘッダを除去する段階；
（ｃ）前記装置で生成されたＲＴＰ／ＵＤＰヘッダまたはＩＰヘッダを含まないし、少なくとも二つの音声データペイロードが伝送される非同期転送モード第２アダプテーション層（ＡＡＬ２）セルに前記音声データパケットを伝送する段階；及び
（ｄ）使用者終了要請がある場合に、第２命令信号を生成して前記変換機に伝送する段階；をさらに含み、
前記第１命令信号は、前記変換機がヘッダデータをデータ貯蔵装置に保存するように指示し、前記ヘッダデータは、ＲＴＰ／ＵＤＰヘッダ情報とＩＰヘッダ情報を含んで、
前記第２命令信号は、前記変換機が前記データ貯蔵装置から前記ヘッダデータを除去するように指示することを特徴とするインターネットプロトコル上での音声伝送方法。
【請求項３５】
前記（ａ）段階は、前記第１命令信号と共にヘッダデータを生成して伝送する段階；をさらに含んで、
前記（ｄ）段階は、前記第２命令信号と共に前記ヘッダデータを伝送する段階；をさらに含むことを特徴とする請求項３４に記載のインターネットプロトコル上での音声伝送方法。
【請求項３６】
前記変換及び伝送段階は、
前記変換機で、前記ネットワークからＩＰパケットを受信して、ＲＴＰパケットを生成するために前記ＩＰパケットよりＩＰヘッダを除去する段階；前記装置に対応する仮想経路識別子（ＶＰＩ）と仮想チャンネル識別子（ＶＣＩ）及び使用者インターフェースに対応するチャンネル識別子（ＣＩＤ）を選択するために前記第１命令信号によって前記ＲＴＰパケットより抽出されたＲＴＰ情報を前記変換機に保存された情報と比較する段階；ＣＰＳパケットヘッダ内の前記ＶＣＩ、ＶＰＩ及びＣＩＤを使用する前記第２アダプテーション層セルを生成する段階；前記ＲＴＰパケットよりＲＴＰ／ＵＤＰヘッダを除去して前記第２アダプテーション層セルとして前記第２フォーマットを有する前記データパケットを生成するために前記音声データを前記ＣＰＳパケットに追加する段階；前記装置を含む統合接続装置（ＩＡＤ）に前記第２アダプテーション層セルを伝送する段階；及び前記使用者インターフェースに前記音声データを伝送する段階；を含むことを特徴とする請求項３４に記載のインターネットプロトコル上での音声伝送方法。
【請求項３７】
前記変換機は、インターネット伝送のために前記音声データパケットをＡＴＭセルでＩＰパケットに変換して、
前記変換段階は、
第２アダプテーション層セルから第２アダプテーション層形態の情報を除去して、前記装置を含む統合接続装置（ＩＡＤ）に対応するＶＰＩとＶＣＩ及び使用者インターフェースに対応するＣＩＤを抽出する段階；ＲＴＰ／ＵＤＰ／ＩＰヘッダを生成するために前記抽出されたＶＰＩ、ＶＣＩ及びＣＩＤによってＲＴＰヘッダデータを選択する段階；及び前記ＩＰパケットを生成するために前記除去された第２アダプテーション層セルに前記ＲＴＰ／ＵＤＰヘッダ及び前記ＩＰヘッダを挿入する段階；を含むことを特徴とする請求項３４に記載のインターネットプロトコル上での音声伝送方法。
【請求項３８】
（ａ）前記変換機を含む登録／管理／状態（ＲＡＳ）サーバーで第１命令信号及びヘッダデータを受信する段階；
（ｂ）前記ヘッダデータ及び前記第１命令信号によって前記ＲＡＳサーバーのメモリー貯蔵装置にＲＴＰヘッダ情報を保存する段階；
（ｃ）前記装置から前記音声データを受信する段階；及び
（ｄ）終了を第２命令信号及び前記ヘッダデータによって前記ＲＡＳサーバーの前記メモリー貯蔵装置から前記ＲＴＰヘッダ情報を除去する段階；をさらに含むことを特徴とする請求項３４に記載のインターネットプロトコル上での音声伝送方法。
【請求項３９】
前記変換段階は、
ＲＴＰ／ＵＤＰヘッダ及びＩＰヘッダを有してないし、使用者インターフェースに対応するＣＩＤ及び前記装置に対する前記ＣＩＤに対応するＶＣＩとＶＰＩ、そしてＣＰＳパケットヘッダである第２アダプテーション層セルを含む前記第１フォーマットの前記音声データを受信する段階；及び
（ａ）前記第１フォーマットから抽出された前記ＶＣＩ、前記ＶＰＩ及び前記ＣＩＤによって前記メモリー貯蔵装置から抽出された前記ＲＴＰ／ＵＤＰヘッダを挿入して、
（ｂ）前記ＩＰヘッダを挿入することにより前記ＩＰヘッダを含む前記第２フォーマットを形成する段階；を含むことを特徴とする請求項３８に記載のインターネットプロトコル上での音声伝送方法。
【請求項４０】
前記変換段階は、
ＩＰヘッダ及びＲＴＰ／ＵＤＰヘッダを有するＩＰパケットを含む前記第１フォーマットの前記音声データを受信する段階；及びＣＰＳパケットを有する第２アダプテーション層セルを含む前記第２フォーマットを形成する段階；を含んで、
前記第２アダプテーション層セルは、
ＲＴＰパケットを生成するために前記ＩＰヘッダを除去する段階；ＶＣＩ、ＶＰＩ及びＣＩＤを選択するために前記ＲＴＰパケットの前記ＲＴＰ／ＵＤＰヘッダから抽出された情報を前記メモリー貯蔵装置内の情報と比較する段階；ヘッダの中に前記ＶＣＩ及びＶＰＩを挿入してＣＰＳパケットヘッダの中に前記ＣＩＤを挿入する段階；及び前記ＣＰＳパケットに音声ペイロードを追加する段階；により形成されることを特徴とする請求項３８に記載のインターネットプロトコル上での音声伝送方法。
【請求項４１】
（ａ）統合接続装置（ＩＡＤ）で使用者により生成された要請信号を処理する段階；
（ｂ）登録／管理／状態（ＲＡＳ）サーバーがＲＴＰ／ＵＤＰ／ＩＰヘッダ情報を含むヘッダデータをデータ貯蔵装置の中に保存するように指示する第１命令信号を生成して前記ＲＡＳサーバーに伝送する段階；及び
（ｃ）前記ＩＡＤで生成された非同期転送モード第２アダプテーション層（ＡＡＬ２）セル上に音声データを伝送する段階；を含んで、
前記第２アダプテーション層セルは、
仮想チャンネル識別子（ＶＣＩ）及び仮想経路識別子（ＶＰＩ）を含むセルヘッダ；及び複数の共通部下位階層（ＣＰＳ）パケットを含んで、
前記ＣＰＳパケット各々は、
使用者装置の中のひとつに対応する使用者チャンネルを識別するチャンネル識別子（ＣＩＤ）を含むＣＰＳパケットヘッダ；及び前記音声データを含むＣＰＳパケットペイロード；を含んで、
前記ＲＡＳサーバーは、前記ＶＣＩ、前記ＶＰＩ及び前記ＣＩＤによって前記音声データ出力を第１フォーマットから第２フォーマットに変換して、
前記第２アダプテーション層セルはＲＴＰ／ＵＤＰ／ＩＰヘッダを含まないし、
音声データペイロードは前記第２アダプテーション層上で伝送されることを特徴とするインターネットプロトコル上での音声伝送方法。
【請求項４２】
前記ＲＡＳサーバーがネットワークからＩＰパケットを受信してＲＴＰパケットを抽出するために前記ＩＰパケットより前記ＩＰヘッダ及び前記ＵＤＰヘッダを除去する段階；前記ＩＡＤに対応する前記ＶＰＩと前記ＶＣＩ及び前記使用者生成要請を生成する使用者インターフェースに対応する前記ＣＩＤを選択するために前記第１命令信号によって前記ＲＴＰパケットで抽出されたＲＴＰ情報を前記ＲＡＳサーバーに保存されている情報と比較する段階；前記ＣＰＳパケットヘッダを生成するために前記ＶＣＩ、前記ＶＰＩ及び前記ＣＩＤを使用して前記第２アダプテーション層セルを生成する段階；前記ＲＴＰパケットより前記ＲＴＰヘッダを除去して、前記第２アダプテーション層セルを生成するために前記ＣＰＳパケットヘッダに前記音声データを追加する段階；及び前記ＩＡＤが前記ＲＡＳサーバーから前記第２アダプテーション層セルを受信して、前記使用者インターフェースで前記音声データを伝送する段階；をさらに含むことを特徴とする請求項４１に記載のインターネットプロトコル上での音声伝送方法。
【請求項４３】
インターネット伝送のために前記ＲＡＳサーバーが前記第２アダプテーション層セルをＩＰパケットに変換する段階をまた含んで、
前記変換段階は、
前記第２アダプテーション層セルから第２アダプテーション層情報を除去して、前記ＩＡＤに対応する前記ＶＰＩと前記ＶＣＩ及び使用者インターフェースに対応する前記ＣＩＤを抽出する段階；前記ＲＴＰ／ＵＤＰ／ＩＰヘッダを生成するために抽出された前記ＶＰＩ、前記ＶＣＩ及び前記ＣＩＤによって前記ＲＴＰヘッダを選択する段階；及び前記ＩＰパケットを生成するために前記除去された第２アダプテーション層セルに前記ＲＴＰ／ＵＤＰ／ＩＰヘッダを挿入する段階；を含むことを特徴とする請求項４１に記載のインターネットプロトコル上での音声伝送方法。
【請求項４４】
（ａ）登録／管理／状態（ＲＡＳ）サーバーでＲＴＰ／ＵＤＰ／ＩＰヘッダ情報を含む第１命令信号及びヘッダデータを受信する段階；
（ｂ）前記ヘッダデータ及び前記第１命令信号によって前記ＲＡＳサーバーのメモリー貯蔵装置に前記ＲＴＰ／ＵＤＰ／ＩＰヘッダ情報を保存する段階；
（ｃ）前記ＲＡＳサーバーが第１装置から第１フォーマットで伝送された音声を受信して、前記ＲＡＳサーバーで音声データを前記第１フォーマットから第２フォーマットに変換する段階；
（ｄ）前記第２データフォーマットの前記音声をネットワークに伝送する段階；及び
（ｅ）伝送終了のための第２制御信号によって前記メモリー貯蔵装置から前記ＲＴＰヘッダ情報を除去する段階を含んで、統合接続装置（ＩＡＤ）は前記第１命令信号及び第２命令信号を前記ＲＡＳサーバーに伝送して、
前記変換段階は、
（ａ）前記ＲＴＰ／ＵＤＰ／ＩＰヘッダを有してないし、使用者インターフェースに対応するチャンネル識別子（ＣＩＤ）、仮想チャンネル識別子（ＶＣＩ）及び第１装置識別子に対応する仮想経路識別子（ＶＰＩ）を含む共通部下位階層（ＣＰＳ）パケットヘッダを有する非同期転送モード第２アダプテーション層（ＡＡＬ２）セルを含む前記第１フォーマットの前記音声伝送を受信して、前記第１フォーマットから抽出された前記ＶＣＩ、ＶＰＩ及びＣＩＤによって前記メモリー貯蔵装置から抽出された前記ＲＴＰ／ＵＤＰ／ＩＰヘッダを挿入してＩＰヘッダとして前記第２フォーマットを形成する段階；及び
（ｂ）ＲＴＰ／ＵＤＰヘッダを有するＩＰパケットを含む前記第２フォーマットの前記音声を受信して、ＣＰＳパケットを有する第２アダプテーション層セルを含む前記第１フォーマットを形成する段階；うちいずれか一つを含んで、
前記（ａ）段階で、前記第１装置は前記ＩＡＤを含んで、
前記（ｂ）段階で、前記第２アダプテーション層セルは、
ＲＴＰパケットを抽出するために前記ＩＰ／ＵＤＰヘッダを除去する段階；前記ＶＣＩと前記ＶＰＩ及び前記ＣＩＤを選択するために前記ＲＴＰ／ＵＤＰ／ＩＰヘッダから抽出された情報を前記メモリー貯蔵装置の情報と比較する段階；ヘッダに前記ＶＣＩ及び前記ＶＰＩを挿入して前記ＣＰＳパケットヘッダに前記ＣＩＤを挿入する段階；及び前記ＣＰＳパケットに音声ペイロードを追加する段階；により形成されて、前記第１装置は前記ネットワークを含んで、第２装置は前記ＩＡＤを含むことを特徴とするインターネットプロトコル上での音声伝送方法。
【請求項４５】
音声データ装置及び登録／管理／状態（ＲＡＳ）に連結する統合接続装置（ＩＡＤ）を含んで、
前記ＩＡＤは、前記音声データ装置と前記ＲＡＳ間に仮想チャンネル識別子（ＶＣＩ）、仮想経路識別子（ＶＰＩ）及び共通部下位階層（ＣＰＳ）パケットを有するセルヘッダを含む非同期転送モード第２アダプテーション層（ＡＡＬ２）セルを含む第１フォーマットの音声データを伝送して、
前記ＣＰＳ−パケットは、チャンネル識別子（ＣＩＤ）及び前記音声データを有するＣＰＳパケットペイロードを有するＣＰＳ−パケットヘッダを含んで、前記第１フォーマットの前記音声データはＲＴＰ／ＵＤＰ／ＩＰヘッダを含まないことを特徴とする通信装置。
【請求項４６】
前記ＲＡＳサーバーは、前記第１フォーマットとＲＴＰヘッダ情報を有する前記ＲＴＰ／ＵＤＰ／ＩＰヘッダを含む第２フォーマットの間で前記音声データを変換して、前記ＩＡＤ及び前記ＲＡＳサーバーは、第１命令信号及び第２命令信号によって動作し、
前記第１命令信号は、共に生成されるヘッダデータをデータ貯蔵装置に保存するように前記ＲＡＳサーバーに指示して、
前記第２命令信号は、前記データ貯蔵装置から前記ヘッダデータを除去するように前記ＲＡＳサーバーに指示することを特徴とする請求項４５に記載の通信装置。
【請求項４７】
送信／受信（Ｔｘ／Ｒｘ）チャンネル決定を指示する伝送装置から音声データを受信する段階；登録／管理／状態（ＲＡＳ）サーバーがヘッダデータ、統合接続装置（ＩＡＤ）及び前記伝送装置に対する識別子を保存するように指示するために前記Ｔｘ／Ｒｘ決定によって第１命令信号を生成する段階；及び前記第１命令信号によって前記ＲＡＳサーバーに前記音声データを伝送する段階；を含むことを特徴とするＩＡＤの動作方法。
【請求項４８】
第１命令信号によってヘッダデータを保存して、第２命令信号によって前記ヘッダデータを除去するメモリー貯蔵装置；及び前記ヘッダデータによって第１フォーマットと第２フォーマットの間で音声データを変換する処理部；を含んで、
前記第１フォーマットは、前記音声データをＩＰ上に伝送するためのＲＴＰ／ＵＤＰ／ＩＰヘッダを含んで、
前記第２フォーマットは、登録／管理／状態（ＲＡＳ）サーバーと使用者の間に前記音声データを伝送するための複数のプロトコルデータ単位を有する第２アダプテーション層セルを含むことを特徴とするＲＡＳサーバー。
【発明の詳細な説明】
【０００１】
【発明の属する技術分野】
本発明は、インターネットプロトコル上の音声伝送（Voice over Internet Protocol:VoIP、以下‘ＶｏＩＰ’とする）で音声チャンネル伝送を向上させるためのシステム及び方法に関するもので、より詳細には、データペイロード伝送に利用可能な帯域幅を増加させるために効率的なヘッダ伝送を提供する方法に関するものである。
【０００２】
急速に変化して規制が緩和されている遠隔通信市場で、インターネットサービス提供者達（Internet Service Protocols：ＩＳＰｓ）は、信頼性があって経済的な遠隔通信サービスを探している顧客らに付加価値があるサービスを提供することによって成長の機会に決めることができる。ネットワーク基盤構造が巨大に成長してこれに対応してインターネットプロトコル（Internet Protocol:ＩＰ）通信量が増加することによって、音声及びデータ集中に長所を有する新しい遠隔通信サービスのためのプラットホームとしてＩＰが使われるようになった。ＶｏＩＰ技術は、このような遠隔通信サービスのうちのひとつである。
【０００３】
【従来の技術】
従来の音声及びデータの集中（すなわち、１個の銅線内で音声及びデータを伝達すること）は、従来の電話サービスを回線ネットワークよりパケットネットワーク環境まで適用する結果を招いた。より詳細には、多様な産業グループがＶｏＩＰに対するプロトコル及び基準（例えば、ITU-TH.323、IET FSIP、H.248、等）を承認している。その結果、顧客は個人用コンピュータまたはイーサネット（登録商標）ＩＰ電話（例えば、ノテルｉ２００４電話、シスコ７９６０電話）からインターネット電話サービスを通じてＶｏＩＰを使用するために従来のＶｏＩＰサービスを利用できて、ＶｏＩＰサービスは高速接続ネットワーク（例えば、ｘＤＳＬ、ケーブルモデムまたはＷＬＬ）を通した高速インターネット通信を含む。
【０００４】
しかし、従来の音声及びデータの集中は基盤構造限界のためデータサービス／回線再販売会社（Competitive Local Exchange Carriers：ＣＬＥＣｓ）と地域電話サービス会社(Incumbent Local Exchange Carriers:ＩＬＥＣｓ)がＶｏＩＰを提供するのに限界がある。例えば、ＣＬＥＣｓは、データ回線だけを持っていて、資料伝送に適合した反面、ＩＬＥＣｓは、音声回線だけを持っていて、高いデータ回線追加費用のため音声伝送を提供するのに適している。進んで、音声及びデータの集中は顧客らが家庭または小さな事務室及び本社で使用する複数の回線を管理するための基盤構造を必要とする。従来技術で、このような複数の回線は統合接続装置(Integrated Access Device:ＩＡＤ)で管理される。ＩＡＤは、音声及びデータが集中する端末機であり、したがって、顧客は同時に音声及びデータサービスを受けるようになる。
【０００５】
基盤構造の必要な条件は達しているが、ＶｏＩＰの標準化の面で不十分である。例えば、ＴＲ−０３６とも知らされた２０００年８月でひらいたＤＳＬフォーラムはＡＡＬ５のＤＳＬ(called VoDSL)上に音声を伝達するための従来技術とプロトコルを承認した反面、非同期転送モード(Asynchronous Transfer Mode:ＡＴＭ)フォーラムは、ＡＡＬ２（ＡＴＭ  Adaptation Layer2）を使用するＡＦ−ＶＭＯＡ−０１４５．０００をまだ承認していない。したがって、ＤＳＬ上のＶｏＩＰに関するＡＡＬ２標準が承認されていなかった点に従来技術の短所がある。
【０００６】
図１は、電話使用者が非対称デジタル加入者回線（Asymmetric Digital Subscriber Line:ＡＤＳＬ）ネットワークを通じインターネットに属することができるように構成された従来のＶｏＩＰシステム（１）を図示した図面である。ＶｏＩＰシステム（１）は、使用者データ装置（３ａ．．．３ｎ）及びモデム（５）を有するホームネットワーク、デジタル加入者回線接続マルチプレクサ（Digital Subscriber Line Access Multiplexer:ＤＳＬＡＭ）（１１）及び登録／管理／状態(Registration、Administration and Status:ＲＡＳ）サーバー（１３）を有する接続ネットワーク(Access Network)及びインターネット（１７）及びＶｏＩＰサーバー（１９）を含むバックボーンネットワーク(Backbone Network)を含む。
【０００７】
使用者データ装置（３ａ、．．．３ｎ）は、ＰＣ、インターネット電話、従来の電話またはそれらを結合した装置になることができる。ＡＤＳＬモデム（すなわち、ＡＴＵ−Ｒ）（５）は、従来技術の外部インターフェース（例えば、１０Base T Ethernet（登録商標）、ＵＳＢ、HomeＰＮＡ）（７）を通じ使用者装置（３ａ）から音声データを受信して、この音声データを銅線（９）を通じＤＳＬＡＭに伝送する。ＤＳＬＡＭに伝送された音声データは、ＳＴＭ−１接続部（１５）を通じてＲＡＳサーバー（１３）に伝送されて最終的にインターネット（１７）に伝送される。インターネット（１７）に連結しているＶｏＩＰサーバー（１９）は、ＲＡＳ（１３）、ＤＳＬＡＭ（１１）、そして受信側モデム（５）に音声データをラウティングするために受信者と送信者間に従来技術のインターフェース（例えば、ウェブサイト）を提供する。
【０００８】
図１に図示されたように、従来の方法で、使用者はインターネットサービスに接続できて、従来の方法はモデム（５）がオンされれば順にＤＳＬＡＭ（１１）に接続を試みる。特定サイト（例えば、www.Dialpad.com）に接続するためにインターネット（１７）をサーフィンした後、使用者はＰＰＰサーバーを通じ従来技術のＲＡＳ（１３）を使用してＶｏＩＰサーバー（１９）に接続して、ＶｏＩＰサーバー（１９）は使用者メッセージ受信機に接続を試みてリンクを形成する。使用者が電話番号を伝送するためにインターネットサイトで“伝送”ボタンを押すと、ＶｏＩＰサーバーは使用者が提供した電話番号に基づいてデータベース（すなわち、ディレクトリ）を検索して、使用者を目的地に連結するために試みる。
【０００９】
図２は、従来のＶｏＩＰプロトコルスタックを図示した図面であり、ここではＩＴＵ−ＴＨ．３２３がＩＰネットワーク上に音声を伝送するＶｏＩＰプロトコルで使われる。Ｈ．３２３／Ｈ．３２３ゲートウェイは、終端間の通信のためのマルチメディア／音声標準を形成して、ＶｏＩＰプロトコルで使われることができて、マルチメディアを包括する。トランスポート層(Transportlayer)は、常にＲＴＰ／ＵＤＰ(Real-time Transport Protocol/User Datagram Protocol:ＲＴＰ／ＵＤＰ）プロトコル情報を含んで、ネットワーク層は常にＩＰヘッダ情報を含む。
【００１０】
図３は、Ｈ．３２３号手順によって決まった電話呼を図示した図面である。Ａ段階では、呼設定のためにＨ．２２５．０が使われる反面に、Ｂ段階、Ｃ段階及びＥ段階でＨ．２４５が使われて、Ｅ段階はまたＨ．２２５．０を使用する。Ｃ段階で通信確立後、Ｄ段階で情報のフローが発生する。このような情報フローはメディアストリーム及びメディアストリーム制御フローを含む。
【００１１】
Ｄ段階は、Ｈ．２４５にない点を注目するべきである。Ｄ段階は、データ処理のために最もロードが多くて集中的な段階の反面に、他の段階はそんなに大きいロードを有してない。Ｄ段階以外の段階は、各々一つのスロットとして実行されるために、ＡＤＳＬリンクに大きいロードを加えない。ＲＴＰが音声信号を伝送するためのプロトコルで適用されることであるからＲＴＰ段階を使用するＤ段階はネットワークに最も大きいロードを加えることである。
【００１２】
従来のＶｏＩＰシステム（１）で、リンク速度はサービスを提供する会社によって多様でありえる。従来のＶｏＩＰシステム（１）は、約１００年間使われた従来の銅線帯域幅を４ＫＨｚの帯域幅から８．１Ｍ／０．８Ｍｂｐｓ（ダウンストリーム／アップストリーム）に向上させて、それは最も速い従来のリンク速度である。
【００１３】
従来のＡＤＳＬシステム（１）が対称的な（すなわち、音声）データ伝送のために使われる時、データ伝送率は３８４／３８４Ｋｂｐｓ、７６８／７６８Ｋｂｐｓであり、距離によって異なる。データサービスは、アップロード速度より高いダウンロード速度を要求する反面、音声サービスは音声対話の連続性により実質的に同じアップロード及びダウンロード速度を要求する。したがって、ＡＤＳＬに係る従来のＩＡＤにより提供される音声サービスの限界はアップロード速度に依存して、アップロード速度はダウンロード速度より低い。
【００１４】
図４は、従来技術Ｈ．３２３データ伝送構造（２１）を図示した図面である。従来技術のＨ．３２３プロトコルをＶｏＩＰに適用すれば、音声信号はＩＡＤでＲＴＰ／ＵＤＰ／ＩＰヘッダを有するデジタル信号に変換される。図４に図示されたように、８バイトのＵＤＰヘッダ（２５）と１２バイトのＲＴＰヘッダ（２７）前に位置する２０バイトのＩＰヘッダ（２３）は２０バイトのペイロード（２９）に先立ちそれぞれのセルに伝送される。
【００１５】
進んで、音声信号は、Ｇ．７２６．３２音声コーデックより伝送されて、音声コーデックは５ｍｓ（２０−ｂｙｔｅ／５ｍｓ＝４０００−ｂｙｔｅ／１ｓ＝３２Ｋｂｐｓ）ごとに２０バイトの音声ペイロードを生成する。そして、２０バイトの音声ペイロードはＩＰパケットに挿入される。したがって、ＩＰパケットは６０バイトの大きさを有する。しかし、６０バイトパケットには単に２０バイトのペイロードだけ存在するので、従来技術は利用可能な６０バイト中２０バイト、すなわち３３％だけペイロードに使われるという点で非効率的である。
【００１６】
進んで、図４に図示されたように、二つのＡＡＬ５セル（３１、３７）が音声データを伝送するために必要である。例えば、最初５バイトのＡＴＭヘッダ（３３）は４８バイトのペイロード（３５）前に位置して、２番目５バイトのＡＴＭヘッダ（３９）は１２バイトのペイロード（４１）、パッド（４３）及びテイラー（４５）前に位置する。したがって、従来技術のＡＡＬ５セルは、高いオーバヘッドを要求するためにデータペイロードが一つのパケットに伝送されることができない短所がある。
【００１７】
図５は、従来技術のＶｏＩＰ方法を図示した図面である。音声パケットは図４に図示されたようにセルを通じ伝送される。例えば、電話（３ａ）はアナログ回線（２）を通じＩＡＤ（２２）に取り付けられる。上述したように、ＩＡＤ（２２）はＡＤＳＬ回線を通じＤＳＬＡＭ（１１）に取り付けられて、また上述したように、ＤＳＬＡＭ（１１）はＯＣ−３またはＳＴＭ−１回線（６）を通じＲＡＳ（１３）に連結される。この時、ＲＡＳ（１３）はインターネット（１７）でＩＰパケットを伝送する。
【００１８】
図５の従来方法で、データがＩＰ伝送のためにＩＡＤ（２２）で初期化される時ＩＰ及びＲＴＰ／ＵＤＰプロトコル情報は、初期にそれぞれのＡＡＬ５セルに位置するようになる。その後、ＡＡＬ５セルはＡＡＬ５を通じＩＡＤ（２２）からＲＡＳ（１３）に伝送される。ＲＡＳ（１３）はＡＡＬ５情報を除去してＩＰデータグラムをインターネット（１７）で伝送する。リンク及び物理的情報はＲＡＳ（１３）がパケットを受信する前に除去される。
【００１９】
したがって、ＩＡＤ（２２）からＲＡＳ（１３）にＩＰヘッダ及びＲＴＰ／ＵＤＰヘッダを伝送するのに必要なまた他のオーバヘッドが従来技術のＡＡＬ５伝送方法において詳述した非効率を招く問題がある。結局、前記のように、アップロード速度及びダウンロード速度は効率的な音声通信のために実質的に同じであるべきでアップロード速度が落ちて全体的な動作速度が制限される。また、適切な品質が維持されることができる同時通話チャンネル（例えば、呼）の数が少なくなる。
【００２０】
［表１］は、いろいろな従来技術のコーデック（すなわち、変−復調）フォーマットに対する性能を示す。ここで低いＭＯＳは低い通話品質に対応する。
【００２１】
【表１】
0003841699.tif 000002
【００２２】
従来技術の例で、ＡＡＬ５のＡＤＳＬリンクでセルをローディングするための音声伝送率は約１５３．６Ｋｂｐｓ（２−ｃｅｌｌ／５ｍｓ＝４００−ｃｅｌｌ／１ｓ＝４００＊４８８８ｂｐｓ＝１５３．６Ｋｂｐｓ）である。したがって、アップロード速度の上限が８００Ｋｂｐｓであるから、ＩＡＤは適切な品質（例えば、４．０以上のＭＯＳ）では単に５個の同時通話呼のみを提供する。
【００２３】
しかし、このようなデータ率は単に音声伝送に対してのみ計算されたことである。仮りにＩＡＤがデータサービスも提供すれば、利用可能な同時通話呼の数はさらに減ることになる。Ｇ．７１１−６４がコーデックとして使われてフレーム間隔が５ｍｓの時、４０バイトの音声ペイロードはオーバヘッドのために８０バイトのＲＴＰパケットを招く。したがってＡＡＬ５上にＲＴＰパケットを伝送するために二つのＡＡＬ５セルが必要である。
【００２４】
しかし、従来技術は色々な問題と不便な点を持っている。例えば、アップロード速度がダウンリンク速度より制限されるために、従来のデータ伝送方法に起因するアップリンク帯域幅の不足が存在する。進んで、ＵＤＰヘッダ、ＲＴＰヘッダ及びＩＰヘッダがＤＳＬＡＭ（１１）に伝送されるあらゆるパケットに含まれるために、ＶｏＩＰデータ伝送はだいぶ非効率的で（データパケット当り６７％のオーバヘッドと類似）、データ伝送のためのＡＡＬ５モデルはデータを伝送するために１ケ以上のパケットが必要である。
【００２５】
したがって、維持できる同時通話呼の数が少なくなって、サービスの品質（ＱｏＳ）が保障できない。進んで、Ｈ．３２３プロトコル（例えば、www.dialpad.com）を使用する従来技術は複雑で具現困難で（例えば、ＴＶ会議に対してはあまり狭い帯域幅）、セル当りたった一個の音声データペイロードのみ伝送できる。
【００２６】
【発明が解決しようとする問題】
本発明が解決しようとする技術的課題は従来技術の問題点と不便さを克服するところにある。
【００２７】
本発明が解決しようとする技術的課題は、固定されたＡＤＳＬリンク内で同時通話数を増加するところにあって、結局従来技術のいろいろな問題点と不便さを克服するところにある。
【００２８】
進んで本発明の目的は、ＲＡＳとＩＡＤ間の伝送のために他のフォーマットでデータパケットを変形することによってＩＡＤからＲＡＳにパケット伝送に所要される時間費用を減らすところにある。
【００２９】
また本発明の目的は、オーバヘッドを減少させて、より少ないパケットが必要なようにパケットごとにより多くのデータを伝送できて、音声データに要求される連続的の伝送に応じることができるデータ構造を提供するところにある。
【００３０】
【課題を解決するための手段】
前記の技術的課題を達成するための、本発明に係るインターネットプロトコル上での音声伝送システムは、ＩＰヘッダなしでデータ識別子を有する複数のデータ単位に分割された第１フォーマットに音声データ出力を生成して、使用者装置から音声データを受信及び生成するために形成されて、前記使用者装置に結びつく統合接続装置（ＩＡＤ）；及び前記ＩＡＤに結びついて前記第１フォーマットと複数のデータ単位に分割されてデータ単位各々はＩＰヘッダを有する第２フォーマット間に前記音声データ出力を変換するために形成された登録／管理／状態（ＲＡＳ）サーバー；を含んで、前記音声データ出力は前記第２フォーマットとしてネットワークに伝送される。
【００３１】
また、非同期転送モード第２アダプテーション層（ＡＴＭ  Adaptation Layer2：ＡＡＬ２）セルは、前記ＲＡＳサーバーと前記ＩＡＤ間に音声データを伝送するように設定され、複数の共通部下位階層−プロトコルデータ単位（Common Part Sublayer-Protocol Data Units:ＣＰＳ−ＰＤＵｓ）を含む。
【００３２】
前記ＣＰＳ−ＰＤＵｓ各々は、ＣＰＳパケットに隣接している開始フィールドを含んで、前記ＣＰＳパケットは使用者装置に対応する使用者チャンネルを確認するチャンネル識別子（Channel Identifier:ＣＩＤ）を含む前記ＣＰＳ（Common Part Sublayer）−パケットヘッダ及び前記音声データを含むＣＰＳ−パケットペイロードを含む。前記ＲＡＳサーバーは、少なくとも前記ＣＩＤによって前記第１フォーマットから前記第２フォーマットに前記音声データ出力を変換する。
【００３３】
進んで、インターネットプロトコル上で音声データ伝送のためシステムは、各々音声データを生成するように構成された複数の使用者装置がアナログラインを通じ連結して、少なくとも一つの前記使用者装置から前記音声データを受信するＩＡＤを含む。前記ＩＡＤは、前記第１フォーマットで複数のＰＤＵｓを有するＡＡＬ２セルを含む前記音声データ出力を生成して、前記ＰＤＵｓ各々は、仮想チャンネル識別子（Virtual Channel Identifier:ＶＣＩ）及び仮想経路識別子（Virtual Path Identifier:ＶＰＩ）を含むセルヘッダと複数のＣＰＳ−パケットを含む。前記ＣＰＳ−パケット各々は、前記使用者装置中ひとつに対応する使用者チャンネルを識別するチャンネル識別子（ＣＩＤ）を含むＣＰＳ−パケットヘッダ及び前記音声データを含むＣＰＳ−パケットペイロードを含む。前記ＲＡＳサーバーは、前記ＶＰＩ、ＶＣＩ及び前記ＣＩＤによって前記音声データ出力を前記第１フォーマットから前記第２フォーマットに変換する。
【００３４】
またＲＡＳサーバーは、ＡＤＳＬ（Asymme TricDigitalSubscriberLine:ＡＤＳＬ）を通じ前記ＩＡＤに連結して、前記ＲＡＳサーバーの貯蔵装置に保存されているヘッダ情報によって前記音声データ出力を第１フォーマットと前記第２フォーマット間に変換するように形成される。前記第２フォーマットは、ＲＴＰヘッダ情報を有するＲＴＰ／ＵＤＰ／ＩＰ（Real-time Transport Protocol/User Datagram Protocol/Internet Protocol:ＲＴＰ／ＵＤＰ／ＩＰ）ヘッダを含んで、前記ＲＴＰヘッダ情報によって前記第１フォーマットに変換される。
【００３５】
第１命令信号及びヘッダ情報は、前記ＩＡＤから前記ＲＡＳサーバーに伝送されて、前記第１命令信号は前記貯蔵装置内に前記ヘッダ情報を保存するために前記ＲＡＳサーバーに指示する。第２命令信号及びヘッダ情報は、終了決定に応答して前記ＩＡＤから前記ＲＡＳサーバーに伝送されて、前記第２命令信号は前記貯蔵装置から前記ヘッダ情報を除去するように前記ＲＡＳサーバーに指示する。前記貯蔵装置はＲＯＭ（Read-Only Memory）またはＲＡＭ（RandomAccessMemory）を含む。
【００３６】
進んで、インターネットプロトコル上での音声伝送のためのシステムは、ＯＣ−３またはＳＴＭ−１ラインを通じ前記ＲＡＳサーバーに連結しているマルチプレクサをさらに含む。前記マルチプレクサは、また前記ＩＡＤと連結して、前記ＩＡＤと相関されているＶＣＩ及びＶＰＩを前記ヘッダ情報で多重化する。そして前記ＲＡＳサーバーと連結して前記第２フォーマットの前記音声データ出力を受信及び送信するネットワークを含んで、前記ＲＡＳサーバーは前記ネットワークから受信した前記音声データ出力を前記第２フォーマットから前記第１フォーマットに変換する。
【００３７】
第１使用者及び第２使用者は、同じＲＡＳサーバーに位置したりお互い他のＲＡＳサーバーに位置して、前記第１使用者及び前記第２使用者は同じ前記ＲＡＳサーバー及び同じＩＡＤに位置したりまたは同じ前記ＲＡＳ及びお互い他のＩＡＤに位置して、二つの音声パケットが前記ＡＡＬ２セルに挿入できる。
【００３８】
また、インターネットプロトコル上で音声伝送方法は、ＩＡＤから使用者により生成された要請信号を処理して、第１命令信号を生成してＲＡＳサーバーに伝送する。前記ＩＡＤから生成されたＡＡＬ２セル上に音声データを伝送して、前記ＡＡＬ２セルはＲＴＰ／ＵＤＰ／ＩＰヘッダを含まない。そして、使用者の終了要請時、第２命令信号を生成して前記ＲＡＳサーバーに伝送する。
【００３９】
また他のインターネットプロトコル上での音声伝送方法は、ＲＡＳサーバーで第１命令信号及びヘッダデータを受信して、前記ヘッダデータ及び前記第１命令信号によってメモリー貯蔵装置にネットワークで伝送するためのヘッダ情報を保存する。前記ＲＡＳサーバーは、一つの装置から第１フォーマットの音声データを受信して、前記ＲＡＳサーバーで前記音声データを前記第１フォーマットから前記第２フォーマットに変換する。そして、前記第２データフォーマットの前記音声データを前記ネットワークに伝送する。
【００４０】
またインターネットプロトコル上での音声伝送方法は、装置内にで第１フォーマットを有する音声データパケットを生成して、データパケット住所情報によって、前記音声データパケットを変換機で前記第１フォーマットから第２フォーマットに変換して、前記第２フォーマットを有する前記データパケットをネットワークに伝送する。前記データパケットは使用者が生成した要請によって生成された音声データを含む。
【００４１】
インターネットプロトコル上での音声伝送方法は、ＩＡＤで使用者が生成した要請信号を処理し、ＲＡＳサーバーがＲＴＰ／ＵＤＰ／ＩＰヘッダ情報を含むヘッダデータをデータ貯蔵装置内に保存するように指示する第１命令信号を生成してＲＡＳサーバーに伝送して、前記ＩＡＤで生成されたＡＡＬ２セル上に音声データを伝送する。
【００４２】
前記ＡＡＬ２セルは、ＶＣＩ及びＶＰＩを含むセルヘッダと複数のＣＰＳ−パケットを含んで、前記ＣＰＳ−パケット各々はＣＰＳ−パケットヘッダを含む。そしてＣＰＳ−パケットは前記使用者装置中のひとつに対応する使用者チャンネルを識別するＣＩＤを含んで、前記音声データを含むＣＰＳ−パケットペイロードを含む。
【００４３】
前記ＲＡＳサーバーは、前記ＶＩＣ、前記ＶＰＩ及び前記ＣＩＤによって前記音声データ出力を前記第１フォーマットから前記第２フォーマットに変換して、前記ＡＡＬ２セルはＲＴＰ／ＵＤＰ／ＩＰヘッダを有してないし、音声データペイロードは前記ＡＡＬ２セル上に伝送される。
【００４４】
インターネットプロトコル上で音声伝送のまた他の方法は、ＲＡＳサーバーでＲＴＰ／ＵＤＰ／ＩＰヘッダ情報を含むヘッダデータと第１命令信号を受信して、前記ヘッダデータ及び前記第１命令信号によって前記ＲＡＳサーバーのメモリー貯蔵装置にＲＴＰ／ＵＤＰ／ＩＰヘッダ情報を保存する。
【００４５】
そして、前記ＲＡＳサーバーは、第１装置から第１フォーマットで音声伝送を受信して、前記ＲＡＳサーバーで前記音声データを前記第１フォーマットから前記第２フォーマットに変換して、前記第２データフォーマットの前記音声伝送をネットワークに伝送する。
【００４６】
また、インターネットプロトコル上で音声伝送方法は、前記伝送方法終了するための第２制御信号によって前記メモリー貯蔵装置で前記ＲＴＰヘッダ情報を除去して、ＩＡＤは前記ＲＡＳサーバーに前記第１命令信号及び前記第２命令信号を伝送する。
【００４７】
前記変換段階は、下の（ａ）と（ｂ）中でひとつを含む。（ａ）ＡＡＬ２セルを含む前記第１フォーマットの前記音声伝送を受信する。ＡＡＬ２セルはＲＴＰ／ＵＤＰ／ＩＰヘッダを有してないし、ＣＰＳ−パケットヘッダである。ＣＰＳ−パケットヘッダは使用者インターフェースに対応するＣＩＤ及び第１装置識別子に対応するＶＣＩとＶＰＩを含む。
【００４８】
そして、前記第１フォーマットから抽出された前記ＶＣＩ、ＶＰＩ及びＣＩＤによって前記メモリー貯蔵装置から抽出された前記ＲＴＰ／ＵＤＰ／ＩＰヘッダを挿入してＩＰヘッダとして前記第２フォーマットを形成して、前記第１装置はＩＡＤを含む。
【００４９】
また、（ｂ）ＩＰパケットを含む前記第２フォーマットの前記音声伝送を受信して、ＡＡＬ２セルを含む前記第１フォーマットを形成する。前記ＩＰパケットはＲＴＰ／ＵＤＰヘッダを有して前記ＡＡＬ２セルはＣＰＳパケットを有する。
【００５０】
前記ＡＡＬ２セルは、ＲＴＰパケットを抽出するために前記ＩＰ／ＵＤＰヘッダを除去し、ＶＣＩ、ＶＰＩ及びＣＩＤを選択するために前記メモリー貯蔵装置の情報と前記ＲＴＰ／ＵＤＰ／ＩＰヘッダから抽出された情報を比較して、ヘッダに前記ＶＣＩ及びＶＰＩを挿入して、ＣＰＳパケットヘッダに前記ＣＩＤを挿入して、前記ＣＰＳパケットに前記音声ペイロードを追加することによって形成される。前記第１装置は前記ネットワークを含んで第２装置はＩＡＤを含む。
【００５１】
通信装置は、ＩＡＤを含んで音声データ装置及びＲＡＳサーバーに連結する。前記ＩＡＤは、前記音声データ装置と前記ＲＡＳ間に第１フォーマットの音声データを伝送して、前記第１フォーマットはセルヘッダを含むＡＡＬ２を含んで、前記セルヘッダはＶＣＩ、ＶＰＩ及びＣＰＳパケットを有する。前記ＣＰＳ−パケットはＣＩＤを有するＣＰＳパケットヘッダ及び音声データを有するＣＰＳ−パケットペイロードを含んで、前記第１フォーマットの前記音声データはＲＴＰ／ＵＤＰ／ＩＰヘッダを含まない。
【００５２】
また、ＩＡＤの動作方法は、送信／受信（Ｔｘ／Ｒｘ）チャンネル決定を表す伝送装置から音声データを受信する段階；前記ＲＡＳサーバーが前記ＩＡＤ及び前記伝送装置に対する識別子とヘッダデータを保存するように指示するために前記Ｔｘ／Ｒｘ決定によって第１命令信号を生成する段階；前記第１命令信号によって前記ＲＡＳサーバーに前記音声データを伝送する段階を含む。
【００５３】
ＲＡＳサーバーは、第１命令信号によってヘッダデータを保存して、第２命令信号によって前記ヘッダデータを除去するメモリー貯蔵装置及び前記ヘッダデータによって第１フォーマットと第２フォーマット間で音声データを変換するプロセッサーを含む。前記第１フォーマットは、インターネットプロトコル上で前記音声データを伝送するためのＲＴＰ／ＵＤＰ／ＩＰヘッダ形態を含んで、前記第２フォーマットは、前記ＲＡＳサーバーと使用者間に前記音声データを伝送するための複数のプロトコルデータ単位を有するＡＡＬ２セルを含む。
【００５４】
【発明の実施の形態】
以下に、添付された図面を参照して本発明の好ましい実施形態を詳細に説明する。本発明で使われる用語は明細書で与えられた意味を有するが、明細書により制限されない。
【００５５】
本発明の好ましい実施形態は、効率的な音声データ伝送のためにＶｏＩＰ（Voice over Internet Protocol:ＶｏＩＰ）に対する新しい方法と新しいＩＡＤ及び第１フォーマット（すなわち、ＲＴＰ／ＵＤＰ／ＩＰ）と第２フォーマット（すなわち、ＡＡＬ２ＣＰＳ）の間で音声データを変換できる新しいＲＡＳを含む。本発明の好ましい方法は、ＡＤＳＬシステム上で伝送される時、多重送信機能を含むＡＡＬ２の特性もまた利用できて、伝送効率を増やすために多数の短いＣＰＳ−パケットがＡＴＭセルに多重化できる。
【００５６】
本発明の好ましい実施形態で、ひとつ以上の使用者入力（例えば、電話、ＰＣ電話、インターネット電話）がそれぞれのＩＡＤに連結することができて、ひとつ以上のＩＡＤがそれぞれのＲＡＳに連結することができる。しかし、それぞれのＩＡＤは、常にＡＡＬ２−ＣＰＳセルを処理して、ＲＡＳヘッダは音声データの方向によってＡＡＬ２−ＣＰＳパケットフォーマットとＲＴＰフォーマットの間で変換する。このようなフォーマットの変換方法によって、多数のペイロードが一つのＡＡＬ２セル上に運搬できる。
【００５７】
特に、本発明の好ましい実施形態は、ＲＴＰ／ＵＤＰ及びＩＰヘッダのオーバヘッドなしでＡＡＬ２を通じＩＡＤからＲＡＳに音声パケットを伝送する固定されたＡＤＳＬシステムであり、ＲＴＰ／ＵＤＰ及びＩＰヘッダは事前にＲＡＳに保存される。ＲＴＰ／ＵＤＰ及びＩＰ層は、ＡＤＳＬリンク上で同時通話数だけでなく、作業処理量を増加させるためにＩＡＤからＲＡＳに伝送される前に除去されて、その後にＲＡＳはＩＰパケットとしてインターネット伝送のために受信された音声パケットに保存されているＲＴＰ／ＵＤＰ及びＩＰヘッダ情報を追加する。
【００５８】
多数の短いＣＰＳパケットはひとつのＡＴＭセルに多重化される。本発明で、ＩＡＤは、ＲＡＳのためにＡＡＬ２−ＣＰＳパケットを生成して、ＲＡＳはネットワーク伝送のためにＲＴＰパケットを生成して、ＩＡＤがネットワークから音声データを受信できるようにＡＡＬ２−ＣＰＳパケットを生成する。
【００５９】
図６は、本発明の好ましい実施形態に係るシステム及び方法を図示した図面である。従来の電話（３ａ）及びアナログ回線（２）が与えられる。しかし、図６で示したように、本発明の好ましい実施形態のＩＡＤ（８）はＡＡＬ２セルが使われてＩＡＤ（８）からＲＡＳ（１２）にＡＡＬ２エミュレーションが存在するという点で従来技術のＩＡＤ（２２）とは異なる。ＡＤＳＬライン（４）を通じＤＳＬＡＭ(Digital Subscriber Line Access Multiplier:ＤＳＬＡＭ)（１０）に伝送するためにＲＴＰ／ＵＤＰヘッダまたはＩＰヘッダがＩＡＤ（８）で作られない。
【００６０】
進んで、インターネット（１４）を通じ伝送するためにパケットがＩＰパケットに変換される時、ＲＴＰ／ＵＤＰ及びＩＰヘッダ情報はパケットがＲＡＳ（１２）に到達する時までパケットに追加されない。したがって、本発明のＲＡＳ（１２）は従来技術のＲＡＳ（１３）とは異なる。
【００６１】
データを受信するために、図６に図示された本発明の好ましい実施形態は、インターネット（１４）からＲＴＰ／ＵＤＰヘッダ及びＩＰヘッダを含むＲＡＳ（１２）がデータパケットを受信することを示す。この時、ＲＴＰ／ＵＤＰヘッダ及びＩＰヘッダはデータパケットより除去されて、ＡＴＭ（ＡＡＬ２）情報がＲＡＳ（１２）により追加される。
【００６２】
以下に説明するように、ＲＡＳ（１２）はまたヘッダ情報とＡＴＭ情報を正しく追加及び除去するための相互参照値(cross-references values)があるデータルックアップテーブルを含むことができる。したがって、ＤＳＬＡＭ（１０）及びＩＡＤ（８）は、ＲＡＳ（１２）よりＲＴＤ／ＵＤＰヘッダ情報及びＩＰヘッダ情報を含まないデータパケットを受信する。
【００６３】
図７及び図８は、本発明の好ましい実施形態に係るデータ構造を図示した図面である。図７は、本発明の好ましい実施形態に係るデータパケット（４７）を示す。ＶＰＩとＶＣＩを含むセルヘッダ（４９）が提供されて、開始フィールド（５１）を含むＣＰＳ−パケットで知らされたＣＰＳ−ＰＤＵ（５０）がセルヘッダ（４９）後に従う。
【００６４】
前記開始フィールド（５１）は、オフセットフィールド(Offset Field:ＯＳＦ)、シーケンス番号(Sequence Number:ＳＮ)及びパリティ・ビット（Parity Bit:Ｐ）を含む。開始フィールド（５１）は、それぞれのＣＰＳ−ＰＤＵの間にスペーサとして位置する。ＣＰＳ−ＰＤＵペイロードはデータペイロード（５３）及びパッディング（５５）を含む。
【００６５】
図８は、ＣＰＳ−ＰＤＵペイロード（５３）のはじめに位置するＣＰＳ−パケットヘッダ（ＣＰＳ−packet header:ＣＰＳ−ＰＨ）（５４）を含むＣＰＳ−ＰＤＵペイロード（５３）を図示した図面である。使用者装置の中のひとつに対応する使用者チャンネルを識別するＣＩＤ（５７）、ＣＰＳパケットのペイロードの長さを識別する長さ指示子(Length Indicator：LI)（５９）、ＣＰＳパケットとサービス特有の集合点下位階層(Service-Specific Convergence Sublayer:ＳＳＣＳ)間のリンクを提供する使用者対使用者指示部（６１）、ヘッド誤り制御部（６３）及びペイロード内にあるデータのＣＰＳ−ＩＮＦＯ（６５）がさらに含まれる。
【００６６】
ＣＰＳ−パケットヘッダは、ＲＴＰ／ＵＤＰヘッダとＩＰヘッダなしでＣＰＳ−ＰＤＵを正確な位置に伝送することに係る問題を実質的に除去する。したがって、ＲＴＰ／ＵＤＰヘッダ及びＩＰヘッダ情報は、図６に図示されて以下に説明するようにデータパケットより除去できる。
【００６７】
ＣＩＤ（５７）は、使用者装置と関連してＩＡＤ（８）に取り付けられるお互い相異なる使用者装置は異なるＣＩＤ（５１）を有する。進んで、ヘッダ（４９）内のＶＣＩとＶＰＩ情報はＩＡＤ（８）と関連していてＲＡＳ（１２）は１個以上のＩＡＤ（８）を区別できる。したがって、ＶＣＩ、ＶＰＩ及びＣＩＤ情報で、ＲＡＳは与えられた音声データパケットに対して特定のＩＡＤ−使用者装置の組合せを捜し出すことができて、与えられた音声データパケットは図１３に図示されたルックアップテーブル（例：データベース）のＲＴＰヘッダと相関する。
【００６８】
図７に図示されたように、ＡＡＬ２が使われる時、最大６５オクテットが開始フィールド（５１）の１オクテットを使用して伝送できる。進んで、図８に図示されたように多数のＣＰＳパケットが一つのＣＰＳ−ＰＤＵに多重化できて、開始フィールド（５１）により分離できる。例えば、Ｇ．７２６−３２の音声コーデックが使われれば、５ｍｓごとに２０バイトの音声パケットがコーダに発生する。
【００６９】
この音声パケットがＡＡＬ２を使用して伝送される時、３バイトのＣＰＳ−パケットヘッダを含んで単に２３バイトのＣＰＳ−パケットが必要である。進んで、上述した多重化特性が使われる時、二つの音声パケットがひとつのＡＴＭセル（２３＋２３＜４７）に挿入できる。
【００７０】
本発明の好ましい実施形態に対して、図９ないし図１３は以下に詳細に説明するように多様な方法を図示する。
【００７１】
図９は、本発明の好ましい実施形態に係る、ＩＡＤ（８）の動作方法を図示した図面である。ＩＡＤ（８）は、ＲＡＳ（１２）でデータを受信して処理するだけでなく、図７及び図８に図示されたデータ構造をＲＡＳ（１２）に出力する。本方法は、単独の使用者、ＰＣ電話またはインターネット接続に対して述べたが、本発明はそれに制限されず、アナログ電話とそれに類似するものだけでなく、多様な組合せ、複数の装置を含むこともできる。
【００７２】
Ｓ１段階で、ＩＡＤ（８）は使用者の電話（３ａ）がフックオフ（ｈｏｏｋ−ｏｆｆ）状態なのかチェックして、仮りにフックオフが検出されないとＳ１段階を反復する。しかし、フックオフが検出されればＳ２段階は図３に図示されたように、Ａ、Ｂ及びＣ段階を含む一般的なＶｏＩＰ過程を進行することを許す。
【００７３】
Ｓ３段階は、図３に図示されたＤ段階の開始に該当する。しかし、Ｄ段階は実質的に従来技術と同じ方法で遂行されない。ＩＡＤ（８）は、送信／受信（Ｔｘ／Ｒｘ）チャンネル決定があったか否かを判断する。仮りに、前記決定がなかったとすれば、Ｓ２段階及びＳ３段階を送信または受信決定がある時まで反復して、以下に説明するようにＳ４段階が実行される。
【００７４】
Ｓ３段階で、送信／受信（Ｔｘ／Ｒｘ）チャンネル決定が検出されれば、Ｓ４段階で、ＩＡＤ（８）はＲＡＳ（１２）がヘッダデータ及び識別子をＲＡＳ（１２）に保存するように指示する送信／受信（Ｔｘ／Ｒｘ）情報をＲＡＳ（１２）に送る。第１命令信号、チャンネルデータ（例えば、ＲＴＰ／ＵＤＰ及びＩＰヘッダデータ）及びＲＴＰ／ＵＤＰ及びＩＰヘッダデータをＲＡＳ（１２）のルックアップテーブルに保存するための命令を含む送信／受信（Ｔｘ／Ｒｘ）チャンネル情報は、第１命令信号、ヘッダデータ及び識別子（例えば、ＶＰＩ／ＶＣＩ／ＣＩＤ情報）を含むこともできる。
【００７５】
Ｓ５段階で、音声ペイロードは、ＡＡＬ２を通じてＲＡＳ（１２）に伝送される。Ｓ６段階で終了が検出される時までＳ５段階が続く。Ｓ５段階の終了は、図３に図示されたようにＤ段階の終了に対応する。上述したように、本発明の方法は図３に図示された従来技術の方法と実質的に異なる。
【００７６】
Ｓ６段階で終了が検出されれば、それは図３に図示されたＥ段階の開始に該当し、Ｓ４段階で提供された第１命令信号に基づいてＲＡＳ（１２）に保存されているＲＴＰ／ＵＤＰ及びＩＰヘッダ情報を除去するように指示する第２命令信号がＲＡＳ（１２）に送られる。ＩＡＤ（８）により、データが伝送中または受信中に関係なく本発明の方法を終了するためにＳ７段階が実行される。
【００７７】
第２命令信号とヘッダ情報によって、ＲＡＳ（１２）がＳ７段階でヘッダを除去できる一方、本発明の他の実施形態によって、ヘッダ情報なしでＳ７段階でヘッダを除去することもまた可能である。このような他の実施形態で可能なことは第２命令信号がＶＰＩ／ＶＣＩ／ＣＩＤ情報を含むことができるためである。
【００７８】
図１０Ａないし図１０Ｂは、本発明の好ましい実施形態に係るＲＡＳ（１２）の動作方法を図示した図面である。ＲＡＳ（１２）は、インターネット（１４）からのデータを受信及び処理してＩＡＤ（８）にデータを伝送するだけではなく、図６ないし図８に図示されたように、データ構造をＩＡＤ（８）から受信してＩＰパケットに変換してインターネット（１４）で伝送する。
【００７９】
Ｓ１１段階で、ＲＡＳ（１２）はＲＴＰ／ＵＤＰ及びＩＰヘッダ情報によってＡＡＬ２を通じＩＡＤ（８）から第１命令信号の受信可否を確認する。仮りに、Ｓ１１段階がＡＡＬ２を通じＩＡＤ（８）から伝送を表せば、Ｓ１２段階でＲＡＳ（１２）はセルヘッダ（４９）からＶＣＩ及びＶＰＩを抽出して、ＣＰＳ−パケット（５３）からＣＩＤを抽出する。Ｓ１３段階で、ＲＡＳ（１２）はＶＰＩ、ＶＣＩ及びＣＩＤによってＩＡＤ（８）からＲＴＰ／ＵＤＰ及びＩＰヘッダデータを分離する。
【００８０】
本発明のまた他の実施形態で、ＲＡＳ（１２）はＳ１３段階でＶＰＩ／ＶＣＩ／ＣＩＤ識別子情報及びそれに対応するヘッダを保存することができる。相応して、ヘッダと識別子は図９に図示されたＳ７段階の第２命令信号によって全て除去されるべきである。
【００８１】
Ｓ１４段階で、ＡＡＬ２セルまたはＩＰパケットの受信可否が判断される。仮りにＩＡＤ（８）からＡＡＬ２伝送が受信されたとすれば、ＲＡＳ（１２）はＳ１５段階のＲＡＳ（１２）内のデータベースに含まれたＶＰＩ／ＶＣＩ／ＣＩＤ情報によって特定のＩＡＤ及び通信装置に対応するＲＴＰ／ＵＤＰ／ＩＰヘッダを検索する。Ｓ１６段階で、ＶＰＩ、ＶＣＩ及びＣＩＤによって索引化されているデータベース（すなわち、ルックアップテーブル）に該当するＲＴＰ／ＵＤＰ／ＩＰヘッダが発見されないと、Ｓ１７段階でＲＡＳ（１２）はＩＡＤ（８）にヘッダ要請を送り、本発明の方法は終了される。
【００８２】
仮りに該当するＲＴＰ／ＵＤＰ／ＩＰヘッダが発見されれば、Ｓ１８段階で、ＲＡＳ（１２）はＲＴＰ／ＵＤＰ情報及びＩＰ情報を含むＲＴＰ／ＵＤＰ／ＩＰヘッダをデータベースから抽出して音声ペイロードに追加して、Ｓ１９段階でＲＴＰパケットをＩＰパケット形態でネットワークに送る。Ｓ１５段階ないしＳ１９段階は、インターネットを通した伝送のためにＩＡＤ（８）から伝送された音声データを受信するＲＡＳ（１２）に対応される。ＩＡＤ（８）は、図９に図示されて詳述したように音声データを伝送する。
【００８３】
Ｓ２０段階で、ＲＴＰパケット（すなわち、ＲＡＳ（１２）によりＲＴＰパケットに変換されたＩＰパケット）がネットワークから受信されれば、ＲＡＳ（１２）はＲＴＰパケットを抽出するためにＩＰパケットよりＩＰヘッダ及びＵＤＰヘッダを除去する。Ｓ２１段階で、ＲＡＳ（１２）はＩＰパケットより受信されたＲＴＰ情報によってＲＡＳ（１２）のデータベース（すなわち、ヘッダデータテーブル）内でＶＣＩ、ＶＰＩ及びＣＩＤ情報を検索する。ＩＰパケットはネットワークから受信される。
【００８４】
Ｓ２２段階で、ＲＴＰパケットは伝送のためにＡＡＬ２ＣＰＳ−パケットに変形されて、Ｓ２３段階でＩＡＤ（８）に伝送される。Ｓ１０段階ないしＳ１３段階はネットワーク（１４）から音声データを受信してＩＡＤ（８）に音声データを伝送するＲＡＳ（１２）に対応される。ＩＡＤは図９に図示されて前に詳述したように受信されたデータを処理する。
【００８５】
Ｓ２４段階で、ＲＡＳ（１２）はＲＡＳ（１２）に保存されているヘッダデータを除去するためのＶＰＩ、ＶＣＩ及びＣＩＤヘッダデータを含む第２命令信号をＩＡＤ（８）から受信したかを判断する。第２命令信号がＲＡＳ（１２）により受信されたとすれば、Ｓ２５段階で、ヘッダ情報はＩＡＤ（８）から受信されたＶＰＩ、ＶＣＩ及びＣＩＤ情報によってＲＡＳ（１２）データベースから除去される。以上で開始された本発明の他の実施形態で、ＲＡＳ（１２）に保存されたＶＰＩ／ＶＣＩ／ＣＩＤ識別子情報とヘッダ情報は、図１０ＢのＳ２５段階で除去される。Ｓ２５段階は図３に図示されたようにＥ段階の開始に該当される。
【００８６】
図１１Ａ及び１１Ｂは、各々ネットワーク（１４）及びＩＡＤ（８）に伝送するためのデータパケットを準備する方法を図示した図面である。図１１Ａで示すように、Ｓ４１段階で、ＲＡＳ（１２）のデータベースは、一例でＩＡＤ（８）からＡＡＬ２出力を受信する。Ｓ４２段階で、データベースはＡＡＬ２データパケットよりＶＰＩ、ＶＣＩ及びＣＩＤを抽出する。Ｓ４３段階で、抽出されたＶＰＩ、ＶＣＩ及びＣＩＤ情報の指示によってＲＴＰ／ＵＤＰ／ＩＰヘッダテーブルでＲＴＰ／ＵＤＰ／ＩＰヘッダを検索する。Ｓ４４段階で、ＲＴＰ／ＵＤＰ／ＩＰヘッダテーブルで検索されたＲＴＰ／ＵＤＰ／ＩＰヘッダは音声ペイロードに追加されて、ＩＰパケットとしてネットワークに送られる。
【００８７】
図１１Ｂは、ＩＡＤ（８）と使用者に伝送するためにネットワーク（１４）から受信されたＩＰパケットの準備方法を図示する。ＩＰパケットはネットワーク（１４）から受信し、ＲＡＳ（１２）はＳ５１段階でＲＴＰ／ＵＤＰ／ＩＰパケットとしてＩＰパケットを受信する。Ｓ５２段階で、ＲＡＳ（１２）はネットワークから入力されたＲＴＰパケットのＲＴＰヘッダによってデータベース（すなわち、ＲＴＰ／ＵＤＰ／ＩＰヘッダテーブル）でＶＰＩ、ＶＣＩ及びＣＩＤ組合せを検索する。次に、ＶＰＩ、ＶＣＩ情報がＡＴＭヘッダに挿入されてＣＩＤ情報がＳ５３段階でＣＩＤパケットヘッダに挿入される。Ｓ５４段階で、ＲＴＰヘッダがＲＴＰパケットより除去されて、Ｓ５５段階で音声ペイロードがＡＡＬ２ＡＴＭセルを生成するためにＳ５３段階で生成されたＡＡＬ２−ＣＰＳパケットヘッダに追加される。Ｓ５６段階で、音声データが使用者に出力される。
【００８８】
図１２は、本発明の好ましい実施形態に係るデータベースのデータ構造を図示した図面である。詳述した方法で見られるように、送信及び受信データがＩＡＤ（８）の送信と受信のために分離された列（Ｒｏｗ）で提供される。進んで、ＲＴＰ／ＵＤＰ／ＩＰヘッダがＶＰＩ、ＶＣＩ及びＣＩＤ情報のあらゆる組合せのために提供され、このＲＴＰ／ＵＤＰ／ＩＰヘッダ情報は、データベースの与えられたフィールドで同一であることが可能である反面、送信／受信情報とＶＰＩ、ＶＣＩ及びＣＩＤ情報は、変わることができる。
【００８９】
図１３及び図１４は、チャンネル使用効率を判断するために詳述した従来システムに対して実施されたシミュレーションと本発明の好ましい実施形態に対しグラフィック上の比較を図示した図面である。適用されたコーデックは、Ｇ．７２６−３２であり伝送媒体はＤＳ１中継線（総１．５４４Ｍｂｐｓ、データ速度は同期を除外すれば１．５３６Ｍｂｐｓである）である。
【００９０】
従来技術のＤＳ１中継線は、秒当たり１９２Ｋｂｙｔｅで伝送して、これは４０００セルに対応する。ＲＴＰパケットが５ｍｓのフレーム間隔で伝送されるならば、５ｍｓごとに二つのセルが伝送されて、これはチャンネル当り４００個のセルに対応される。したがって、単に１０個のチャンネルが一つのＤＳ１中継線で利用できる。しかし、黙音抑圧音声(Silence Suppressed Voice)が使われれば、効率は二倍になることができて２０ケチャンネルがＤＳ１中継線で利用できる。図１３は、従来技術のＤＳ１中継線の結果と本発明の好ましい実施形態間の比較を図示した図面である。
【００９１】
本発明の好ましい実施形態が適用されれば、５ｍｓごとに約０．５セルが伝送されて、約３４ケチャンネルがＤＳ１中継線で利用できる。進んで、黙音抑圧音声が使われれば、約８５ケチャンネルがＤＳ１中継線で利用できる。図１４は、従来技術と比較して、前で話したシミュレーション結果をグラフィックで図示した図面である。
【００９２】
本発明が属する技術分野で通常の知識を有する者は、上述した実施形態に対し、本発明の範囲から逸脱しない範囲内で多様な変形が可能であることを理解する。したがって、本発明の権利範囲は、説明された実施形態に限定されてはならず、特許請求の範囲だけでなくこの特許請求の範囲と均等なものも含まれる。
【００９３】
【発明の効果】
本発明に係るインターネットプロトコル上での音声伝送のためのシステムと方法は、以上で記述した従来技術の問題点と不便な点を解決するいろいろ利点を有する。本発明の好ましい実施形態の一部機能はＡＴＭ層でセル利用を高める利点を提供する。また、本発明の好ましい方法はまたＡＤＳＬシステムで音声チャンネル帯域幅を４倍増加させて、アップストリーム帯域幅の不足を含む接続ネットワークシステムを根拠として従来ＡＤＳＬの問題点を解決する。
【図面の簡単な説明】
【図１】  従来のインターネットに接続するためのＡＤＳＬネットワーク構成を示す図面である。
【図２】  従来のＶｏＩＰプロトコルスタックを図示した図面である。
【図３】  従来のＨ．３２３の呼手順を図示した図面である。
【図４】  従来のデータパケット構成を図示したブロック図である。
【図５】  従来のデータ構造を含むデータ伝送構造及び方法を図示したブロック図である。
【図６】  本発明の好ましい実施形態に係るデータ伝送システム及び方法を図示したブロック図である。
【図７】  本発明の好ましい実施形態に係るＡＡＬ２セルのデータ構造を図示した図面である。
【図８】  本発明の好ましい実施形態に係るＣＰＳパケットのデータ構造を図示した図面である。
【図９】  本発明の好ましい実施形態に係るＩＡＤ内にデータパケットを受信及び送信する方法を図示したフロー図である。
【図１０Ａ】本発明の好ましい実施形態に係るＲＡＳでデータパケットを受信及び送信する方法を図示したフロー図である。
【図１０Ｂ】本発明の好ましい実施形態に係るＲＡＳでデータパケットを受信及び送信する方法を図示したフロー図である。
【図１１Ａ】  本発明の好ましい実施形態に係る伝送されたデータパケットよりヘッダ情報を追加及び除去する方法を図示したフロー図である。
【図１１Ｂ】  本発明の好ましい実施形態に係る伝送されたデータパケットよりヘッダ情報を追加及び除去する方法を図示したフロー図である。
【図１２】  本発明の好ましい実施形態でデータ貯蔵構造を図示した図面である。
【図１３】  従来技術及び本発明の好ましい実施形態でＤＳＩ中継線内のＡＡＬ２音声チャンネル数のシミュレーション結果を比較して図示した図面である。
【図１４】  従来技術及び本発明の好ましい実施形態で、ＤＳＩ中継線内のＡＡＬ２黙音抑圧音声チャンネル数のシミュレーション結果を比較して図示した図面である。
【符号の説明】
２  アナログ回線
４  ＡＤＳＬライン
８  ＩＡＤ
１０  ＤＳＬＡＭ
１２  ＲＡＳ
１４  インターネット
【図１】
0003841699.tif 000003
【図２】
0003841699.tif 000004
【図３】
0003841699.tif 000005
【図４】
0003841699.tif 000006
【図５】
0003841699.tif 000007
【図６】
0003841699.tif 000008
【図７】
0003841699.tif 000009
【図８】
0003841699.tif 000010
【図９】
0003841699.tif 000011
【図１０Ａ】
0003841699.tif 000012
【図１０Ｂ】
0003841699.tif 000013
【図１１Ａ】
0003841699.tif 000014
【図１１Ｂ】
0003841699.tif 000015
【図１２】
0003841699.tif 000016
【図１３】
0003841699.tif 000017
【図１４】
0003841699.tif 000018